(57)【要約】【課題】桟木の野地板への設置構成を工夫した屋根の通気構造を得る。【解決手段】桟木３０の桟木３０の下部に粘着層３０Ｂが設けられている。これにより、透湿ルーフィング１６、１８上に桟木３０を置くことで、当該粘着層３０Ｂを介して桟木３０が透湿ルーフィング１６、１８上に仮り置きされるため、野地板１４に桟木３０を固定させる際の作業性が向上する。また、野地板１４に桟木３０を釘打ちした後、釘周りには粘着層３０Ｂを形成する粘着剤が流れ込み、釘穴周りが当該粘着剤によって塞がれることになる。これにより、野地板１４に桟木３０を固定させる際に透湿ルーフィング１６、１８に形成された釘穴を通じて野地板１４側へ水が浸入しないようにすることができ、当該野地板１４の寿命を長くすることができる。【選択図】図１
2013234533.tif 000002
【特許請求の範囲】
【請求項１】
屋根の下地材である野地板と、
前記野地板上に布設され、透湿性を有するシート状の防水層と、
前記防水層上に設けられ、粘着層を有する桟木と、
前記桟木を介して前記野地板上に設置される屋根材と、
を有する屋根の通気構造。
【請求項２】
前記粘着層の下面に樹脂層が設けられている請求項１に記載の屋根の通気構造。
【請求項３】
前記桟木には前記野地板の傾斜面に沿って貫通孔が形成されている請求項２に記載の屋根の通気構造。
【請求項４】
前記貫通孔は前記桟木の幅方向及び長手方向の少なくとも一方向に複数形成されている請求項３に記載の屋根の通気構造。
【請求項５】
前記桟木は樹脂、木製又は金属で形成されている請求項１〜４の何れか１項に記載の屋根の通気構造。
【請求項６】
前記屋根に設置された瓦から前記粘着層まで固定部材が貫通している請求項１〜５の何れか１項に記載の屋根の通気構造。
【請求項７】
前記桟木は、長手方向に沿って矩形波が連続して形成された複数の板材が、前記矩形波の位相をずらした状態で高さ方向において重なって形成されている請求項１〜６の何れか１項に記載の屋根の通気構造。
【発明の詳細な説明】
【技術分野】
【０００１】
本発明は、屋根の通気構造に関する。
【背景技術】
【０００２】
従来、瓦屋根の屋根裏において、通気性及び排水性を向上させるため、桟木に貫通孔を設けた技術があった（例えば、特許文献１）。
【先行技術文献】
【特許文献】
【０００３】
【特許文献１】登録実用新案第３１１１７５０号公報
【発明の概要】
【発明が解決しようとする課題】
【０００４】
しかしながら、この先行技術では、桟木の野地板への設置構成の工夫が十分ではなかった。
本発明は上記事実を考慮し、桟木の野地板への設置構成を工夫した屋根の通気構造を得ることが目的である。
【課題を解決するための手段】
【０００５】
請求項１に記載の発明に係る屋根の通気構造は、屋根の下地材である野地板と、前記野地板上に布設され、透湿性を有するシート状の防水層と、前記防水層上に設けられ、粘着層を有する桟木と、前記桟木を介して前記野地板上に設置される屋根材と、を有している。
【０００６】
請求項１に記載の発明に係る屋根の通気構造では、屋根の下地材である野地板上には、透湿性を有するシート状の防水層が布設されている。したがって、雨水などの水が屋根裏へ浸入した場合、当該防水層によって野地板側へ水が浸入しないようにすることができる。また、防水層上には粘着層を有する桟木が設けられており、当該桟木を介して屋根材が野地板上に設置されている。このため、屋根材と野地板及び防水層との間には、桟木の高さ分の空間部が設けられることとなる。
【０００７】
ここで、防水層は透湿性を有するため、野地板側の湿気を屋根材と防水層との間に設けられた空間部へ透過させることができる。つまり、屋根裏側から野地板側へ水が浸入しないようにすることができると共に、野地板を乾燥させることができる。
【０００８】
一方、焼成瓦などの屋根材は、桟木を介して野地板に設置されるようになっているが、一般的に、桟木は釘等の固定部材によって野地板に固定されるようになっている。このため、桟木に粘着層を設け、当該桟木と野地板の間に設けられた防水層の上に桟木を置くことで、当該粘着層を介して桟木が防水層上に仮り置きされるので、野地板に桟木を固定させる際の作業性が向上する。
【０００９】
ここで、野地板に桟木を固定させる際、或いは屋根材を桟木に固定させる際、固定部材の先端部は桟木、粘着層及び防水層を貫通して野地板へ移動することになるが、粘着層を形成する粘着剤が当該固定部材の進行と共に固定部材によって形成された穴部内へ引き込まれる。これにより、固定部材周りが当該粘着剤によって塞がれることになる。したがって、野地板に桟木を固定させる際に防水層に形成された穴部を通じて野地板側へ水が浸入しないようにすることができ、当該野地板の寿命を長くすることができる。
【００１０】
請求項２に記載の発明に係る屋根の通気構造は、請求項１に記載の屋根の通気構造において、前記粘着層の下面に樹脂層が設けられている。
【００１１】
粘着層は粘着性の高い粘着剤で形成されているため、粘着層の下面が外部に露出している場合、当該桟木を防水層上に設置する前に粘着層にゴミなどが付着したり、粘着層によって現場を汚したりする可能性がある。このため、請求項２に記載の発明に係る屋根の通気構造では、粘着層の下面に樹脂層が設けられているため、このような問題は生じない。
【００１２】
請求項３に記載の発明に係る屋根の通気構造は、請求項２に記載の屋根の通気構造において、前記桟木には前記野地板の傾斜面に沿って貫通孔が形成されている。
【００１３】
野地板と屋根材の間には桟木が設けられており、当該桟木を介して屋根材が野地板に固定されるようになっている。これにより、野地板と屋根材の間には桟木を介して空間部が設けられるこことになるが、請求項３に記載の発明に係る屋根の通気構造では、当該桟木において、野地板の傾斜面に沿って貫通孔が形成されている。
【００１４】
このため、野地板と屋根材の間に設けられた空間部は、桟木によって区画されることはなく、野地板の傾斜面に沿って設けられた空間部同士は通気され、当該空間部を乾燥させることができる。このように、野地板と屋根材の間を通気させることで、防水層における耐久性低下の大きな要因である屋根裏における夏の高温を防ぐことができる。
【００１５】
一方、雨水などの水が野地板上の防水層と屋根材の間に浸入した場合、この水は野地板の傾斜面に沿って空間部内を流れるが、桟木には野地板の傾斜面に沿って貫通孔が形成されているため、野地板の傾斜面に沿って流れる水は、当該貫通孔を通じて空間部内を桟木の下方へ向かって流れ落ちることになる。
【００１６】
請求項４に記載の発明に係る屋根の通気構造は、請求項３に記載の屋根の通気構造において、前記貫通孔は前記桟木の幅方向及び長手方向の少なくとも一方向に複数形成されている。
【００１７】
貫通孔は野地板の傾斜面に沿って形成されているが、請求項４に記載の発明に係る屋根の通気構造では、当該貫通孔は桟木の幅方向及び長手方向の少なくとも一方向に複数形成されている。このため、桟木の強度を確保しつつ貫通孔の総断面積を増やすことができ、野地板と屋根材の間の空間部における通気性が向上する。
【００１８】
請求項５に記載の発明に係る屋根の通気構造は、請求項１〜４の何れか１項に記載の屋根の通気構造において、前記桟木は樹脂、木製又は金属で形成されている。
【００１９】
桟木の形状（貫通孔の形状や位置）に合わせて、請求項５に記載の発明に係る屋根の通気構造では、当該桟木を樹脂、木製又は金属で形成することができる。
【００２０】
請求項６に記載の発明に係る屋根の通気構造は、請求項１〜５の何れか１項に記載の屋根の通気構造において、前記屋根に設置された瓦から前記粘着層まで貫通するように固定部材が貫通している。
【００２１】
屋根に設置された瓦を桟木に固定する際、請求項６に記載の発明に係る屋根の通気構造では、当該瓦から桟木に設けられた粘着層まで固定部材を貫通させることで、当該粘着層を貫通する固定部材周りに粘着剤が周り込み、当該固定部材周りが粘着剤によって塞がれる。これにより、野地板側へ水が浸入しないようにすることができ、当該野地板の寿命を長くすることができる。
【００２２】
請求項７に記載の発明に係る屋根の通気構造は、請求項１〜６の何れか１項に記載の屋根の通気構造において、前記桟木は、長手方向に沿って矩形波が連続して形成された複数の板材が、前記矩形波の位相をずらした状態で高さ方向において重なって形成されている。
【００２３】
請求項７に記載の発明に係る屋根の通気構造では、長手方向に沿って矩形波が連続して形成された複数の板材において、矩形波の位相をずらした状態で板材同士が重なることで、上部の板材によって形成された貫通孔の位置と下部の板材によって形成された貫通孔の位置を変えることができる。これにより、桟木の長手方向の略全域に亘って貫通孔を形成させることができる。
【発明の効果】
【００２４】
以上説明したように、請求項１記載の本発明に係る屋根の通気構造は、桟木の野地板への設置構成を工夫することで、野地板の寿命を長くすることができ、また、野地板に桟木を固定させる際の作業性を向上させることができる、という優れた効果を有する。
【００２５】
請求項２記載の本発明に係る屋根の通気構造は、粘着層の下面にゴミなどが付着しないようにすることができる、という優れた効果を有する。
【００２６】
請求項３記載の本発明に係る屋根の通気構造は、野地板と屋根材の間の空間部が通気され、当該空間部を乾燥させることができる、という優れた効果を有する。
【００２７】
請求項４記載の本発明に係る屋根の通気構造は、野地板と屋根材の間の空間部内において、通気性がさらに向上する、という優れた効果を有する。
【００２８】
請求項５記載の本発明に係る屋根の通気構造は、桟木の形状や貫通孔の形状に関係なく、当該桟木に必要とされる強度を確保することができる、という優れた効果を有する。
【００２９】
請求項６記載の本発明に係る屋根の通気構造は、野地板側へ水が浸入しないようにすることができ、当該野地板の寿命を長くすることができる、という優れた効果を有する。
【００３０】
請求項７記載の本発明に係る屋根の通気構造は、桟木の長手方向の略全域に亘って貫通孔を形成させることができる、という優れた効果を有する。
【図面の簡単な説明】
【００３１】
【図１】本実施形態に係る屋根の通気構造が適用された屋根を示す要部拡大断面図である。
【図２】本実施形態に係る屋根の通気構造が適用された屋根に用いられる桟木の構成を示す斜視図である。
【図３】（Ａ）は、本実施形態に係る屋根の通気構造が適用された屋根に用いられる桟木の変形例（１）示す斜視図であり、（Ｂ）は、桟木の変形例（２）示す斜視図である。
【図４】（Ａ）は、桟木の変形例（３）示す斜視図であり、（Ｂ）は、桟木の変形例（３）示す正面図である。
【図５】（Ａ）は、桟木の変形例（４）示す斜視図であり、（Ｂ）は、桟木の変形例（４）示す正面図である。
【発明を実施するための形態】
【００３２】
以下、本実施形態に係る屋根の通気構造が適用された屋根について説明する。なお、図１には、本実施形態に係る屋根の通気構造が適用された屋根１０の要部拡大断面図が示されており、図２には、当該屋根１０に用いられる桟木３０の構成を示す斜視図が示されている。
【００３３】
（屋根の通気構造の構成）
図１に示されるように、この屋根１０には、図示しない垂木の上に木質の野地板１４が設けられており、野地板１４上には防水層としての透湿ルーフィング１６、１８が布設されている。この透湿ルーフィング１６、１８は湿気は通すが水は通さないという機能を有しており、雨水などの水が屋根裏２２へ浸入した場合、野地板１４側へ水が浸入しないようにすることができると共に、野地板１４側の湿気を屋根裏２２へ透過させるようにしている。
【００３４】
なお、透湿ルーフィング１６と透湿ルーフィング１８のつなぎ目には、屋根１０の上部側に位置する透湿ルーフィング１６を上にして、当該透湿ルーフィング１６と屋根１０の下部側に位置するシート状の透湿ルーフィング１８との間に防水テープ２０が貼着され、透湿ルーフィング１８の端部から水が浸入しないようにしている。
【００３５】
また、屋根１０の上端部及び下端部（軒先）には、屋根裏２２側への防水を強化するため補強シート２４、２６がそれぞれ設けられている。例えば、屋根１０の上端側では、透湿ルーフィング１６の上面に補強シート２４が設けられ、屋根１０の下端部では、野地板１４の上面に補強シート２６が設けられている。
【００３６】
なお、補強シート２６の上には軒先水切り２８が設けられている。この軒先水切り２８は、２つの片２８Ａ、２８Ｂで構成されており、これらの片２８Ａ、２８Ｂで成す角が鈍角となるように形成されている。軒先水切り２８の一方の片２８Ａが野地板１４の上面に沿って当該野地板１４に固定されるようになっている。そして、軒先水切り２８の他方の片２８Ｂは、斜め下方へ向かって屈曲されており、鉛直方向下方へ向かうにつれて野地板１４の端面から離間する方向へ傾斜している。
【００３７】
一方、透湿ルーフィング１６、１８の上には桟木３０（後述する）が野地板１４の傾斜面１４Ａに対して略直交する方向に沿って張り渡されており、当該桟木３０には屋根材として、粘土瓦３２などの焼成瓦が固定部材としての釘等によって設置可能とされている。
【００３８】
また、屋根１０の上端部には、棟木３４が設けられており、当該棟木３４の上には換気棟３６が設けられている。換気棟３６には、多孔板や金網等で構成された換気口３８が設けられており、当該換気口３８を通じて屋根裏２２が外部と連通可能となる。そして、この換気棟３６の上に棟瓦４０が設置されている。
【００３９】
上述のように、野地板１４及び透湿ルーフィング１６、１８の上に桟木３０が張り渡されることで、野地板１４及び透湿ルーフィング１６、１８と粘土瓦３２の間には、空間部４２が設けられることになる。そして、この空間部４２は屋根１０の上端部及び下端部において、外部と連通可能とされている。
【００４０】
ここで、図２に示されるように、桟木３０は角柱状を成しており、樹脂、木製又は金属で形成されている。桟木３０には当該桟木３０の幅方向に沿って（図１で示す野地板１４の傾斜面１４Ａに沿って）貫通孔３０Ａが設けられており、空間部４２と連通可能となっている。この貫通孔３０Ａは、断面形状が桟木３０の長手方向を長手とする矩形状を成しており、当該桟木３０の長手方向に沿って複数設けられると共に、桟木３０の高さ方向に沿って複数（ここでは４段）設けられている。そして、貫通孔３０Ａが設けられた位置は各段において一致している。
【００４１】
また、桟木３０の下部には、例えばブチル系の粘着剤によって形成された粘着層３０Ｂが設けられており、粘着層３０Ｂの下には、樹脂製の板材３０Ｃが粘着層３０Ｂに対して着脱可能に設けられている。
【００４２】
（屋根の通気構造の作用・効果）
次に、本実施形態に係る屋根の通気構造が適用された屋根１０の作用・効果について説明する。
【００４３】
現在の住宅では高断熱・高気密を有する家作りがなされているため、室内から排出される暖かい空気は、水蒸気を含んだ状態で上昇し屋根裏２２へ集まってしまう。この暖かい空気が上手く屋外へ排出されない場合、当該暖かい空気は屋根裏２２に溜まり、外気が冷たい場合、その影響を受けて野地板１４の屋根裏２２側で結露が生じてしまう。
【００４４】
このように、屋根裏２２で結露が生じた場合、当該野地板１４が腐ってしまう可能性がある。一方、粘土瓦３２などの焼成瓦の寿命は長く６０年以上といわれるが、野地板１４が腐った場合、その寿命を大きく下回ってしまう。
【００４５】
このため、本実施形態では、図１に示されるように、野地板１４上には透湿ルーフィング１６、１８が布設されている。この透湿ルーフィング１６、１８は、雨水などの水が屋根裏２２へ浸入した場合、当該透湿ルーフィング１６、１８によって野地板１４側へ水が浸入しないようにすることができる。
【００４６】
また、透湿ルーフィング１６、１８は透湿性を有するため、野地板１４側の湿気を透湿ルーフィング１６、１８と粘土瓦３２の間に設けられた空間部４２へ透過させることができる。つまり、野地板１４側へ水が浸入しないようにすることができると共に、野地板１４を乾燥させることができる。
【００４７】
また、野地板１４及び透湿ルーフィング１６、１８と粘土瓦３２の間に設けられた空間部４２は、屋根１０の上端部及び下端部において、外部と連通可能とされている。そして、野地板１４及び透湿ルーフィング１６、１８の上に張り渡された桟木３０には、野地板１４の傾斜面１４Ａに沿って貫通孔３０Ａが形成されている。
【００４８】
これにより、空間部４２は桟木３０によって区画されることはなく、野地板１４の傾斜面１４Ａに沿って設けられた空間部４２同士は通気され、当該空間部４２を乾燥させることができる。このように、野地板１４及び透湿ルーフィング１６、１８と粘土瓦３２の間を通気させることで、透湿ルーフィング１６、１８における耐久性低下の大きな要因である屋根裏２２における夏の高温を防ぐことができる。
【００４９】
また、図２に示されるように、貫通孔３０Ａは桟木３０の長手方向に沿って複数設けられると共に、当該桟木３０の高さ方向に沿って複数設けられている。これにより、桟木３０の強度を確保しつつ貫通孔３０Ａの総断面積を増やすことができ、図１に示す空間部４２における通気性をさらに向上させることができる。
【００５０】
さらに、屋根１０の上端部には換気棟３６が設けられており、当該換気棟３６には換気口３８が設けられ、当該換気口３８を通じて外部と連通可能となっている。つまり、水蒸気を含んだ暖かな空気によって生じる野地板１４周りの湿気は、透湿ルーフィング１６、１８によって空間部４２側へ透過されるようになっているが、このように湿気を帯びた空気は、換気棟３６に設けられた換気口３８を通じて外部へ排出される。これにより、屋根裏２２で結露が生じないようにすることができ、野地板１４の腐敗・変形を防ぐことができる。
【００５１】
一方、雨水などの水が野地板１４上の透湿ルーフィング１６、１８と粘土瓦３２の間に浸入した場合、この水は野地板１４の傾斜面１４Ａに沿って流れる。本実施形態では、野地板１４の傾斜面１４Ａに対して略直交する方向に沿って張り渡された桟木３０には、野地板１４の傾斜面１４Ａに沿って貫通孔３０Ａが形成されている。
【００５２】
このため、野地板１４の傾斜面１４Ａに沿って流れる水は、空間部４２及び貫通孔３０Ａを通じて桟木３０の下方へ流れ落ちることになる。そして、屋根１０の下端部において、空間部４２は外部と連通可能とされているため、野地板１４の傾斜面１４Ａに沿って流れる水は、外部へ排出されることになる。
【００５３】
ところで、粘土瓦３２は桟木３０を介して野地板１４に釘打ちされ固定されるようになっている。本実施形態では、図２に示されるように、桟木３０の下部には粘着層３０Ｂが設けられている。このため、透湿ルーフィング１６、１８上に桟木３０を置くことで、当該粘着層３０Ｂを介して桟木３０が透湿ルーフィング１６、１８上に仮り置きされるので、野地板１４に桟木３０を固定させる際の作業性が向上する。
【００５４】
また、野地板１４に桟木３０を固定させる際、或いは粘土瓦３２を桟木３０に固定させる際、釘（図示省略）の先端部は桟木３０、粘着層３０Ｂ及び透湿ルーフィング１６、１８を貫通して野地板１４へ移動することになるが、粘着層３０Ｂを形成する粘着剤が釘の進行と共に当該釘によって形成された釘穴内へ引き込まれる。これにより、釘周りが当該粘着剤によって塞がれることになる。したがって、野地板１４に桟木３０を固定させる際、或いは粘土瓦３２を桟木３０に固定させる際に、透湿ルーフィング１６、１８に形成された穴部としての釘穴を通じて野地板１４側へ水が浸入しないようにすることができ、当該野地板１４の寿命を長くすることができる。
【００５５】
一方、粘着層３０Ｂは粘着性を有するため粘着層３０Ｂの表面が外部に露出している場合、桟木３０を透湿ルーフィング１６、１８上に設置する前に当該粘着層３０Ｂにゴミなどが付着したり、粘着層３０Ｂによって現場を汚したりする可能性がある。このため、本実施形態では、粘着層３０Ｂの下には、樹脂製の板材３０Ｃが粘着層３０Ｂに対して着脱可能に設けられ、野地板１４に桟木３０を固定させる際この板材３０Ｃを取り外す。
【００５６】
これにより、野地板１４に桟木３０を固定させる前に、粘着層３０Ｂにゴミなどが付着しないようにすることができる。なお、ここでは、野地板１４に桟木３０を固定させる際にこの板材３０Ｃを取り外すようにしたが、板材３０Ｃは桟木３０に取り付けられたままの状態で野地板１４に桟木３０を固定させても良い。
【００５７】
（桟木の変形例）
上記の実施形態では、図２に示されるように、桟木３０は角柱状を成し、当該桟木３０の幅方向に沿って矩形状の貫通孔３０Ａが設けられ、当該貫通孔３０Ａは、桟木３０の長手方向に沿って複数設けられると共に、桟木３０の高さ方向に沿って複数設けられている。そして、貫通孔３０Ａが設けられた位置は各段において一致している。しかし、桟木３０には空間部４２と連通可能な貫通孔３０Ａが形成されていれば良いため、これに限るものではない。なお、上記の実施形態と同等の部位には同じ符号を付して詳細な説明は省略する。
【００５８】
（１）例えば、図３（Ａ）に示されるように、角柱状を成す桟木４４に円柱状を成す貫通孔４４Ａが形成されても良い。この場合、桟木４４の高さ方向における貫通孔４４Ａの位置は、当該桟木４４の長手方向に沿って千鳥状に配置される。
【００５９】
（２）また、図３（Ｂ）に示されるように、図２に示す複数の貫通孔３０Ａを１つにまとめた大きい貫通孔４６Ａを桟木４６に形成しても良い。この場合、桟木４６における強度確保が問題となるため、当該桟木４６は樹脂や金属によって形成される。
【００６０】
このように、桟木３０、４４、４６の形状や貫通孔３０Ａ、４４Ａ、４６Ａの形状や位置に合わせて、当該桟木３０、４４、４６を樹脂、木製又は金属で形成することで、桟木３０、４４、４６の形状や貫通孔３０Ａ、４４Ａ、４６Ａの形状に関係なく、当該桟木３０、４４、４６に必要とされる強度を確保することができる。
【００６１】
（３）さらに、図４（Ａ）、（Ｂ）に示されるように、桟木４８は、その長手方向に沿ってサインカーブを描くようにして形成された波形板５０と平板５２とを備え、波形板５０と平板５２との間で貫通孔４８Ａを形成するようにしても良い。これにより、桟木４８の長手方向の略全域に亘って貫通孔４８Ａを形成させることができる。なお、図４（Ａ）には、桟木４８の斜視図が示されており、図４（Ｂ）には、桟木４８の正面図が示されている。
【００６２】
（４）また、図５（Ａ）、（Ｂ）に示されるように、桟木５４は、長手方向に沿って矩形波が連続して形成された複数の板材５６が、前記矩形波の位相をずらした状態で高さ方向において重なって形成されている。なお、図５（Ａ）には、桟木５４の斜視図が示されており、図５（Ｂ）には、桟木５４の正面図が示されている。
【００６３】
このように、矩形波の位相をずらした状態で板材５６同士が重なることで、上部の板材５６によって形成された貫通孔５４Ａの位置と下部の板材５６によって形成された貫通孔５４Ａの位置を変えることができる。これにより、桟木５４の長手方向の略全域に亘って貫通孔５４Ａを形成させることができる。
【００６４】
なお、本実施形態では、切妻屋根について説明したが、寄棟屋根や方形屋根などであっても良い。
【００６５】
以上、本発明を実施するための一形態として一実施例を用いて説明したが、本発明はこうした一実施例に何ら限定されるものではなく、本発明の要旨を逸脱しない範囲内において、上述した一実施例に種々の変形及び置換を加えることができる。
【符号の説明】
【００６６】
１０   屋根
１４   野地板
１４Ａ 傾斜面
１６   透湿ルーフィング（防水層）
１８   透湿ルーフィング（防水層）
３０   桟木
３０Ａ 貫通孔
３０Ｂ 粘着層
３０Ｃ 板材（樹脂層）
３２   粘土瓦（屋根材）
４４   桟木
４４Ａ 貫通孔
４６   桟木
４６Ａ 貫通孔
４８   桟木
４８Ａ 貫通孔
５４   桟木
５４Ａ 貫通孔
【図１】
2013234533.tif 000003
【図２】
2013234533.tif 000004
【図３】
2013234533.tif 000005
【図４】
2013234533.tif 000006
【図５】
2013234533.tif 000007